(57)【特許請求の範囲】
【請求項１】
サービス提供を指定して画情報を送信するファクシミリ装置において、
相手先番号および送信端末識別（ＴＳＩ）内のサブアドレスの登録手段を具備し、発呼時あるいはメモリ登録時に、相手先番号と同時に前記ＴＳＩ内のサブアドレスを書き換え、
前記サブアドレス登録手段は、テンキーによる該ＴＳＩおよびサブアドレス、および該ＴＳＩとサブアドレスを区分する符号（＃，＊）により該ＴＳＩ内のサブアドレスを登録し、発呼あるいはメモリ登録時には、上記‘＃’，‘＊’を‘＋’に変換してから上記ＴＳＩを送出することを特徴とするファクシミリ通信装置。
【発明の詳細な説明】
【０００１】
【産業上の利用分野】
本発明は、アナログ回線およびディジタル回線を問わず、ＩＴＵ−Ｔ勧告Ｔ．３０を利用するファクシミリ、ＰＣ（パーソナルコンピュータ）、ＬＡＮ（漠茶Ａｒｅａ  Ｎｅｔｗｏｒｋ）等に接続するファクシミリサーバ等の通信装置に関し、特に送信側の機種を限定せずにサブアドレスを用いたサービスを行うことが可能なファクシミリ通信装置に関する。
【０００２】
【従来の技術】
従来より、サブアドレスを用いた技術文献としては、例えば特開平２−２６０９４０号公報に記載されているように、メモリ送信されたデータを他のファクシミリ端末に転送する方法、あるいは特開平３−１０８９４９号公報に記載されているように、サービス機能を選択する方法がある。
前者では、任意のファクシミリ装置から送出されてきたサブアドレス情報が着信側ファクシミリ装置に通知されると、ファイル番号メモリからファイル番号を読み出し、そのファイル番号とサブアドレス情報との照合を行い、その受信情報をファイル番号で管理される画データメモリ内の該当ファイルに蓄積する。ファイルへの蓄積が終了した後、ファイル番号に対応して登録されている転送先ＩＤに対して発呼を行い、その転送先ＩＤに受信情報を送信する。
また、後者では、着信したアドレス情報中にサブアドレス情報があったときには、抽出されたサブアドレス情報中のサービス機能を指示する情報と、予め送信されたサブアドレス情報受信リストとを比較して、その中から通信管理部が実行すべきサービス機能を選択する。
【０００３】
【発明が解決しようとする課題】
前述のように、従来では、ＩＴＵ−Ｔ勧告Ｔ．３０に基づく通信方法において、サブアドレスに対応して予め転送先を登録しておくことにより、メモリ送信されたデータを他のファクシミリ端末に転送する方法、あるいはサブアドレス情報受信リスト中から受信側でサービス機能を選択する方法が行われていたが、これらはいずれも、サブアドレスを送信および受信できるファクシミリ装置相互間でのみ、サブアドレス通知が有効であり、サブアドレスを送信できない端末はサブアドレス通知を行うことができなかった。
また、Ｇ３ファクシミリ装置において、ＴＳＩ（送信端末識別）は通信装置の設置時に登録するものであって、発呼毎にＴＳＩを書き換えすることはできなかった。そのため、サブアドレス通知を行うためには、ＴＳＩをセットし直してから相手先番号の指定を行う必要があった。
また、通信装置において、ＴＳＩ内では送信端末番号とサブアドレスをセットする場合に、それらの境界を示す符号として『＃，＊，＋，（スペース）』等が考えられるが、Ｔ．３０の規定ではＴＳＩ内での『＃，＊』の使用は認められていなかった。従って、『テンキー（０〜９，＃，＊』でしか入力をサポートしていない通信装置の場合には、ＴＳＩ内で送信端末番号とサブアドレスの境界を示すことができないという問題があった。
さらに、ファクシミリサーバでは、外側には通信回線が接続され、内側にはサブアドレス指定で選択される端末が接続されているが、外部から内側の複数端末に送信するためには、１つ１つの端末に対してサブアドレスを指定して通信する方法しかなかった。
さらに、サブアドレスによるサービス指定では、前述のようにサブアドレスに対応して登録された転送先に送信する方法や、サブアドレス情報リストで送信された中からサービス機能を選択する方法等があるだけであり、例えば翻訳機能等は従来なかった。
【０００４】
本発明の目的は、これら従来の課題を解決し、送信側の機種を限定することなくサブアドレスを用いてサービスを行うことができるファクシミリ通信装置を提供することにある。
【０００５】
【課題を解決するための手段】
上記目的を達成するため、本発明のファクシミリ通信装置は、サービス提供を指定して画情報を送信するファクシミリ装置において、相手先番号および送信端末識別（ＴＳＩ）内のサブアドレスの登録手段を具備し、発呼時あるいはメモリ登録時に、相手先番号と同時に前記ＴＳＩ内のサブアドレスを書き換え、前記サブアドレス登録手段は、テンキーによる該ＴＳＩおよびサブアドレス、および該ＴＳＩとサブアドレスを区分する符号（＃，＊）により該ＴＳＩ内のサブアドレスを登録し、発呼あるいはメモリ登録時には、上記‘＃’，‘＊’を‘＋’に変換してから上記ＴＳＩを送出することを特徴としている。
【０００６】
【作用】
本発明においては、ＴＳＩ（送信端末識別）符号内でサブアドレス通知を行うので、受信側でＴＳＩ内サブアドレス受信機能をサポートすることにより、送信側の機種を限定することなく、サブアドレスを用いたサービスを受けることができる。また、ＴＳＩ内のサブアドレス指定を、相手先番号と同時に行い、発呼毎にＴＳＩを書き換えることができるので、利便性が向上する。また、テンキーしかサポートしない通信装置でも、ＴＳＩとサブアドレスとを区分する符号を使用してサブアドレスを送信することができる。また、既存のファクシミリ装置でも、ファクシミリアダプタを接続することにより、ＴＳＩにサブアドレスを付加して送信することができる。また、ファクシミリサーバに対して外部からサブアドレス指定を行うことにより、接続された複数の端末に１回の送信で同報が行える。
さらに、外部からサブアドレスで指定することにより、種々の言語で翻訳を指定することができるので、利便性が極めて向上する。
【０００７】
【実施例】
以下、本発明の実施例を、図面により詳細に説明する。
図１は、本発明が適用されるネットワークの構成図である。
ファクシミリ装置と、既存のファクシミリ装置にファクシミリアダプタを付加したものと、ＬＡＮに接続されたファクシミリサーバとの間で通信を行うものとする。１〜ｎはＰＣ（パーソナルコンピュータ）、３はこれらのＰＣ０〜ｎで構成されたＬＡＮに接続されたファクシミリサーバ、４は本発明のファクシミリ装置、５は既存のファクシミリ装置に接続されたファクシミリアダプタであり、これらがＰＳＴＮで接続されている。
いま、ファクシミリサーバ３がサブアドレス指定を受信した場合、この指定が同報番号であれば、予め登録されている同報宛先のＰＣ１〜ｎに送信を行う。また、この指定が翻訳サービス要求であれば、画情報や翻訳言語が指定されているＴＳＩをＰＣ１に送信する。ＰＣ１は、原稿を読み取るか、あるいはキャラクタ伝送された情報を基にこれを翻訳して、ＴＳＩで指定された番号に翻訳結果を返送する。また、同報でも翻訳でもない場合、サブアドレスで指定されたＰＣ（例えばＰＣ２）に画情報を送信する。
【０００８】
図２は、図１におけるファクシミリ装置のブロック構成図である。
図２において、１０はファクシミリ装置全体の制御を行うＣＰＵ、１１はＣＰＵ１０のプログラムや画情報や各種パラメータを記憶するメモリ、１２はパラメータのセットや原稿送信時のオペレート等を行う操作表示部、１３は画情報の圧縮・伸長処理を行う符号化・復合化部、１４は画情報の取り込みを行うスキャナ等の入力装置、１５は画情報を出力するプリンタや表示装置等の出力装置、１６はデータの変調・復調を行うモデム、１７は回線に接続するためのＮＣＵ（回線接続装置）である。これらは、システムバス１８により接続されている。
ＣＰＵ１０は、情報を送信する場合に、相手先番号をチェックしてサブアドレスがあるか否かを判断し、あれば、サブアドレスを記憶することにより相手先番号で発呼し、サブアドレスを付加したＴＳＩを送信する。また、ＣＰＵ１０が情報を受信する場合、サブアドレスが付加されているか否かをチェックし、付加されていれば、同報を指定したサブアドレスか、翻訳サービスを指定したサブアドレスか、あるいは登録した端末に転送するためのサブアドレスであるかを判断する。なお、登録された端末に転送するサブアドレスを受信する場合には、内部に少なくとも１台のファクシミリ装置を付加接続していることが必要である。
ＩＴＵ−Ｔ勧告Ｔ．３０に基づく通信端末においては、発呼毎にＴＳＩの書き換えは行えなかったが、本発明では、相手先番号およびＴＳＩ内のサブアドレス登録手段をメモリ１１内に備えており、発呼時あるいはメモリ登録時に相手先番号と同時にＴＳＩ内のサブアドレスを書き換えることができる。
【０００９】
図３は、図１におけるファクシミリサーバのブロック構成図である。
２０はファクシミリサーバの制御を行うＣＰＵ、２１はＣＰＵ２０のプログラムや各種パラメータを記憶するメモリ、２２はパラメータのセット等を行う操作表示部、２３は画情報の圧縮・伸長を行う符号化・復号化部、２４はデータの変調・復調を行うモデム、２５は回線に接続するためのＮＣＵ（網接続装置）、２６はＬＡＮに接続するためのＬＡＮインタフェースである。これらは、システムバス２７に接続されている。
ファクシミリサーバ３は、ＬＡＮに結合された複数台のＰＣに接続されているため、予め同報を受ける端末を登録しておくとともに、予め転送を指定する端末も登録しておく。さらに、翻訳サービスを行う端末も登録しておく。例えば、ＰＣ１〜ｎを同報端末、Ｐ１を翻訳サービスを行う端末、Ｐ２〜Ｐｍを転送を指定する端末として、それぞれ登録する。
【００１０】
図４は、図１におけるファクシミリアダプタのブロック構成図である。
図４において、３０はファクシミリアダプタの制御を行うＣＰＵ、３１はＣＰＵ３０のプログラムや画情報や各種パラメータを記憶するメモリ、３２はＤＴ（ダイヤルトーン），ＭＦ（多周波数信号）の検出および送出を行うＤＴＭＦ検出器・送出器、３３はデータの変調・復調を行うモデム、３４，３５はそれぞれ回線に接続するためのＮＣＵ（網接続装置）、３６はモジュラー３７、モジュラー３８、ＮＣＵ３４、ＮＣＵ３５との接続を切換える切換器、３７，３８はそれぞれモジュラーである。
デフォルト（初期設定しなくても予め設定されている標準値）では、モジュラー３７はＮＣＵ３４に、モジュラー３８はＮＣＵ３５に、それぞれ接続されている。モジュラー３７，３８を除いて、これらはシステムバス３９を介して接続されている。なお、このファクシミリアダプタでは、サブアドレス付きのＤＴＭＦ信号およびＴＳＩを除いては、信号を加工しない。
ファクシミリアダプタは、ローカルファクシミリ（既存のファクシミリ）からサブアドレス付きで発呼された場合には、サブアドレスを除いた相手先番号で発呼を行い、ローカルファクシミリからのＴＳＩを認識したならば、送信識別子，＋，サブアドレスを発生して送信する。
【００１１】
図５は、ＩＴＵ−Ｔ勧告Ｔ．３０のＧ３ファクシミリのプロトコルを示すシーケンスチャートである。
先ず、受信側はＣＥＤ（被呼局認識）に続いて非呼端末識別子を示したＣＳＩ（被呼者識別）、受信側の端末能力を示したＤＩＳ（機能識別）を送信する。これに対して送信側は、送信端末識別子を示すＴＳＩ（送信端末識別）、送信能力を示すＤＣＳ（モード設定命令）を送信した後、トレーニングを行うためにＴＣＦ（トレーニングチェック）を送信する。受信側は、それを認識できれば、ＣＦＲ（受信準備確認）を返送する。その後、送信側からＰＩＸ（画情報）を送信する。そして、通信が終了すると、ＥＯＰ（通信終了）を送信する。受信側では、それを受けてＭＣＦ（メッセージ確認）を返送する。送信側は、ＭＣＦを受信すると、ＤＣＮ（呼解除）を送出して、通信を終了する。
【００１２】
図６は、本発明の具体例を示すＴＳＩの配列を示す図である。
本発明によるサブアドレスを含むＴＳＩは、全部で２０桁からなり、送信端末識別子、サブアドレス、およびそれらを識別するための識別子『＋』から構成されている。実際には、図６に示すように、１桁が２０〜２９，３０〜３９の２字で構成されるので、４０字で２０桁となる。ここでは、右側が先頭になるので、最初はスペース（２０Ｈ）を送出した後、サブアドレスの『１２３４』を送出し、区別する識別子『＊』である２Ｂを送出してから、送信端末識別子（ＴＳＩ）である『８１４６２２０１１０９』を送出する。なお、『＊』は他で使用されているため、『＋』に変換して送出される。
【００１３】
図７は、ファクシミリ装置がサブアドレスを指定したファクシミリ送信を行う場合のフローチャートである。
先ず、相手先番号をチェックして、サブアドレスがあるか否かを判断する（ステップ１０１）。なければ、通常の発呼を行う（ステップ１０２）。サブアドレスがある場合には、サブアドレスを記憶した後、相手先番号で発呼する（ステップ１０３）。次に、ＣＳＩ（被呼者識別）およびＤＩＳ（機能識別）を受信したか否かを判断する（ステップ１０４）。受信していれば、サブアドレスを付加したＴＳＩ（送信端末識別）を送信する（ステップ１０５）。ＣＳＩ，ＤＩＳを受信しなかった場合には、再度、ステップ１０４に戻る。なお、ここで、ＴＳＩ（送信端末識別子）とサブアドレスの区切りで『＊，＃』が使用されている場合には『＋』に変換して送出する。ステップ１０５以降は、通常の送信を行う（ステップ１０６）。
【００１４】
図８は、ファクシミリアダプタが既存のファクシミリ装置の発呼を検出した場合のフローチャートである。
先ず、発呼されたＤＴＭＦを記憶する（ステップ２０１）。次に、サブアドレス識別子『＊または＃』を用いたサブアドレス付きの発呼を行っているか否かを判断する（ステップ２０２）。サブアドレス発呼をしていない場合には、モジュラー１とモジュラー２を接続し、以降の通信には関与しない（ステップ２０３）。
一方、サブアドレス付きの発呼をしている場合には、サブアドレスを除いた相手先番号で発呼を行い（ステップ２０４）、ローカルファクシミリ（既存のファクシミリ）からのＴＳＩを認識したか否かを判断する（ステップ２０５）。ＴＳＩを認識できない場合には、ステップ２０５に再度戻る。また、ＴＳＩを認識した場合には、それをそのまま相手先端末に送らずに、『送信識別子（ＴＳＩ）、＋、サブアドレス』に変換して送信する（ステップ２０６）。次に、モジュラー１とモジュラー２とを接続し、以降の通信には関与しない（ステップ２０７）。
【００１５】
図９は、ファクシミリサーバがサブアドレス指定の受信をした場合のフローチャートである。
先ず、同報を指定したサブアドレスであるか否かを判断する（ステップ３０１）。同報番号であった場合には、予め登録されている同報宛先のＰＣに送信する（ステップ３０２）。同報番号でなかった場合には、翻訳サービス要求であるか否かを判断する（ステップ３０３）。翻訳サービス要求である場合には、画情報、翻訳言語が指定されているＴＳＩをＰＣに送信する（ステップ３０４）。ＰＣは、ＯＭＲ（光学磁気読取り機）等で原稿を読み取るか、あるいはキャラクタ伝送された情報に基づいて翻訳を行い、ＴＳＩで指定された番号に翻訳結果を送信する。  次に、ステップ３０３の判断で、翻訳サービス要求でなかった場合には、単に転送サービス要求であるから、サブアドレスで指定されたＰＣに画情報を送信する（ステップ３０５）。
【００１６】
このように、本発明においては、▲１▼ＴＳＩでサブアドレス通知を行うので、受信側でＴＳＩ内のサブアドレス受信機能をサポートすることにより、送信側の機種を限定せずにサブアドレスを用いたサービスを実現することが可能である。また、▲２▼ＴＳＩ内のサブアドレス指定が相手先番号と同時に行うことができるので、利便性が向上する。また、▲３▼テンキーのみしかサポートしない通信装置でも、サブアドレス通知方法を用いることができる。▲４▼ファクシミリアダプタを付加すれば、既存のファクシミリでもＴＳＩにサブアドレスを付加して送信することができるので、種々のサービスを実現できる。また、▲５▼外部からファクシミリサーバの内側の複数の端末に同報通信を行う場合でも、１回の送信で同報が可能となる。▲６▼さらに、外部からサブアドレス指定により、種々な言語の翻訳を指定することができる。
【発明の効果】
以上説明したように、本発明によれば、送信側の機種を限定することなくサブアドレスを用いてサービスを行うことができるとともに、ＴＳＩ（送信端末識別）内のサブアドレス指定が相手先番号と同時に行うことができ、またテンキーしかサポートしない通信装置でもサブアドレス通知が可能であり、また既存のファクシミリでもサブアドレスを付加して送信することができ、また、外部からファクシミリサーバ内の複数端末に同報通信するときでも、１回の送信でよく、さらに外部からのサブアドレス指定により、種々の言語の翻訳を指定することができるという種々の効果がある。
【図面の簡単な説明】
【図１】本発明が適用される通信ネットワークのブロック構成図である。
【図２】図１におけるファクシミリ装置のブロック構成図である。
【図３】図１におけるファクシミリサーバのブロック構成図である。
【図４】図１におけるファクシミリアダプタのブロック構成図である。
【図５】ＩＴＵ−Ｔ勧告Ｔ．３０のファクシミリ手順を示すシーケンスチャートである。
【図６】本発明の一実施例を示すＴＳＩ（送信端末識別子）の内部構成図である。
【図７】本発明のファクシミリ装置の相手先番号入力時の動作フローチャートである。
【図８】本発明のファクシミリアダプタの動作フローチャートである。
【図９】本発明のファシクミリサーバの動作フローチャートである。
【符号の説明】
１〜ｎ…ＰＣ（パーソナルコンピュータ）、３…ファクシミリサーバ、
４…ファクシミリ装置、５…ファクシミリアダプタ、
１０，２０，３０…ＣＰＵ、１１，２０，３１…メモリ、
１２，２２…操作表示部、１３，２３…符号化・復号化部、１４…入力装置、
１５…出力装置、１６，２４，３３…モデム、
１７，２５，３４，３５…ＮＣＵ、２６…ＬＡＮインタフェース部、
３６…切換器、３７，３８…モジュラー、３２…ＤＴＭＦ検出器・送出器。
【図１】
0003555700.tif 000002
【図２】
0003555700.tif 000003
【図３】
0003555700.tif 000004
【図４】
0003555700.tif 000005
【図５】
0003555700.tif 000006
【図６】
0003555700.tif 000007
【図７】
0003555700.tif 000008
【図８】
0003555700.tif 000009
【図９】
0003555700.tif 000010